(57)【要約】【課題】血栓吸引カテーテルで患者から吸引し、血液濾過フィルタで捕集した血栓等のサイズを、容易に測定することができる血液濾過フィルタ及び血液濾過器具を提供すること。【解決手段】開口部（６）と底面部（４）及び当該底面部（４）に周設した側壁部（５）とからなる本体（２）を有し、かつ前記底面部（４）に血液濾過部材（７）を装着し、前記側壁部（５）下部と前記血液濾過部材（７）の間の底面内周縁部（９）の少なくとも一部に、血液濾過部材（７）で捕捉された血液成分の大きさを測定可能なスケール（１０）を装着した血液濾過フィルタ（１）。【選択図】図１
0003130711.tif 000002
【実用新案登録請求の範囲】
【請求項１】
開口部（６）と底面部（４）及び当該底面部（４）に周設した側壁部（５）とからなる本体（２）を有し、かつ前記底面部（４）に血液濾過部材（７）を装着し、
前記側壁部（５）下部と前記血液濾過部材（７）の間の底面内周縁部（９）の少なくとも一部に、血液濾過部材（７）で捕捉された血液成分の大きさを測定可能なスケール（１０）を装着したことを特徴とする血液濾過フィルタ（１）。
【請求項２】
開口部（６）と底面部（４）及び当該底面部（４）に周設した側壁部（５）とからなる本体（２）を有し、かつ前記底面部（４）に血液濾過部材（７）を装着した血液濾過フィルタ（１ａ）と、
前記血液濾過部材（７）で捕捉された血液成分の大きさを測定するスケール（１１）とからなる血液濾過器具。
【請求項３】
前記スケール（１１）が、前記血液濾過フィルタ（１ａ）の下部に配置して、血液濾過部材（７）で捕捉された血液成分の大きさを測定可能な方眼シートであることを特徴とする請求項２に記載の血液濾過器具。
【考案の詳細な説明】
【技術分野】
【０００１】
本考案は、例えば血栓吸引カテーテルの術後の血液を濾過する際に使用される血液濾過フィルタ及び血液濾過器具に関する。
【背景技術】
【０００２】
従来から使用されているほとんどの血栓吸引カテーテルには、血栓吸引用シリンジ、ストップコック、延長チューブ、及び血液濾過フィルタ等の、血栓吸引カテーテルを使用する際に必要な補助具（アクセサリー）が付属されている。
血栓吸引カテーテルを用いた術後、カルテ等に記録したりするために、血液吸引用シリンジ内に捕集した血栓やコレステロール等の生物由来物質の混入した血液を、付属の血液濾過フィルタで濾過して、除去した血栓等の凝集物の大きさを測定することもあるが、その際には、別途に測定機器等を準備して測定しなければならなかった。
【０００３】
回収した血液の濾過に関しては、例えば特許文献１の血液回収装置などが挙げられる。特許文献１の血液回収装置は、手術中の出血による排血液を回収・貯留した血液を濾過して血栓等を除去し、患者自身に再輸血するというものである。
しかし、フィルタによる血液の濾過という点においては共通しているものの、その目的、用途、仕様などは、本考案の提供する血液濾過フィルタとは全く異なるものであり、特許文献１の血液回収装置では、前述のような従来の課題を解決できない。
【特許文献１】特開平０５−１３７７７９号公報（請求項３、図２）
【考案の開示】
【考案が解決しようとする課題】
【０００４】
解決しようとする課題は、例えば血栓吸引カテーテルを用いる治療過程において、血液濾過フィルタ内に捕集した血栓等の生物由来物質のサイズを測定するとき、測定機器等を別途用意して測定しなければならなかった点である。
【課題を解決するための手段】
【０００５】
［１］本考案は、開口部（６）と底面部（４）及び当該底面部（４）に周設した側壁部（５）とからなる本体（２）を有し、かつ前記底面部（４）に血液濾過部材（７）を装着し、
前記側壁部（５）下部と前記血液濾過部材（７）の間の底面内周縁部（９）の少なくとも一部に、血液濾過部材（７）で捕捉された血液成分の大きさを測定可能なスケール（１０）を装着した血液濾過フィルタ（１）を提供する。
［２］本考案は、開口部（６）と底面部（４）及び当該底面部（４）に周設した側壁部（５）とからなる本体（２）を有し、かつ前記底面部（４）に血液濾過部材（７）を装着した血液濾過フィルタ（１ａ）と、
前記血液濾過部材（７）で捕捉された血液成分の大きさを測定するスケール（１１）とからなる血液濾過器具を提供する。
［３］本考案は、前記スケール（１１）が、前記血液濾過フィルタ（１ａ）の下部に配置して、血液濾過部材（７）で捕捉された血液成分の大きさを測定可能な方眼シートである［２］に記載の血液濾過器具を提供する。
【考案の効果】
【０００６】
本考案の血液濾過フィルタによれば、例えば血栓吸引カテーテルで患者から吸引し、血液濾過フィルタで捕集した血栓等のサイズを、特別な測定装置を別途用意する必要がなく、容易に測定することができる。
【考案を実施するための最良の形態】
【０００７】
図１は、本考案の血液濾過フィルタ１の概略図、図２は、本考案の血液濾過フィルタ１の平面図、図３は側面図、図４は図２のＡ−Ａ´断面図、図５は図３のＢ部（血液濾過部材７）の一部拡大図である。
［血液濾過フィルタ１］
血液濾過フィルタ１（以下、単にフィルタ１と略記する）は、図１に例示するように、開口部６と底面部４及び底面部４の周囲を取り囲むように立ち上げて形成（周設）した側壁部５とからなる本体１２を有し、かつ底面部４に血液濾過部材７を装着している。
さらに側壁部５下部と血液濾過部材７の間の底面内周縁部９の少なくとも一部に、血液濾過部材７で捕捉された血液成分の大きさを測定するスケール１０を装着している。
本体２上部は開口部６となって開放され、本体２下部は底面部４となって閉塞されている。さらに側壁部５上端から外側に向けて翼部８と鍔部８ａを延設している。
本考案の血液濾過フィルタ１は、例えば血栓吸引カテーテルで吸引した血液を血液濾過部材７で濾過して、血液濾過部材７に残った血栓等を観察することで、どのようなものが捕捉・除去できたかを容易に確認することができる。例えば、血栓吸引カテーテルの付属品として、血栓吸引カテーテルのケースに付属されているものである。
血液濾過フィルタ１の本体２は、ポリプロピレン、ポリエチレン、ポリカーボネート、ＡＢＳ等の合成樹脂を用いて形成する。
【０００８】
［スケール１０］
スケール１０は、図１及び図２に例示するように側壁部５下部と血液濾過部材７の間の底面内周縁部９の少なくとも一部に、装着している。
このスケール１０は、血栓吸引カテーテルで採取した血液を血液濾過部材７で濾過した際、血液濾過部材７に残った血栓やコレステロール等の生物由来物質のサイズを測定するためのものである。
底面内周縁部９にスケール１０を付することで、血液の濾過作業と同時に血栓等のサイズを即座に測定することができる。
スケール１０は、底面内周縁部９に直接刻印してもよいし、または印刷手段により、印字してもよい。また図１、図２では底面内周縁部９の一部（四分割した対向する二面）のみに付されているが、底面内周縁部９の全周に付してもよいし、一部分のみでもよい。また血液濾過部材７に直接目盛りを印刷してもよい。
【０００９】
［血液濾過器具］
図１から図５に例示した血液濾過フィルタ１の代わりに、同じ目的で、血液濾過器具が使用できる。すなわちスケール１０を血液濾過フィルタ１に装着する代わりに、付属または外付けのスケール１１にしたものである。
血液濾過器具は、開口部６と底面部４及び当該底面部４に周設した側壁部５とからなる本体２を有し、かつ前記底面部４に血液濾過部材７を装着した血液濾過フィルタ１ａと、血液濾過部材７で捕捉された血液成分の大きさを測定するスケール１１とから構成される。
血液濾過フィルタ１ａは、図１から図５に例示した血液濾過フィルタ１の底面内周縁部９に装着したスケール１０を削除したものである。
スケール１１は、血液濾過フィルタ１の下部に配置して、血液濾過部材７で捕捉された血液成分の大きさを測定可能な方眼シートである。
「方眼シート」の一例として、ポリエステルやその他合成樹脂製といった、液体に比較的強いシートに方眼の目盛を付した方眼シートを、血液濾過フィルタ１の付属品として作成し、血液濾過後の血液濾過フィルタ１を直接方眼シートの上に置くことで、血液濾過部材７内の血栓等のサイズを簡便に測定することが可能である。方眼シートは、血液濾過フィルタ１を載置できる程度の面積、具体的には、少なくとも血液濾過フィルタ１の底面部４がはみ出ることのない十分な面積を有するものが好ましい。
【００１０】
［血液濾過部材７］
底面部４には、図２のように、血栓吸引カテーテル等で採取した血液を濾過するための血液濾過部材７を形成している。血液濾過部材７は、底面内円周部９以外の底面部４全体にわたって形成される。
血液濾過部材７は、ナイロン、ポリエチレン、ポリプロピレン、ポリエチレンテレフタレート等の合成樹脂により、例えば図５のように格子状に形成し、底面部にインサート成型により固定している。血液濾過部材７の網目の幅Ｗは、概ね３０〜５０μｍ程度が好ましく、４０μｍがより好ましい。この血液濾過部材７の網目があまりに小さいと、粘度のある血液が目詰まりを起こしたりして、濾過しにくく、逆に網目が大きすぎると、血栓の小さな塊なども濾過してしまうので好ましくない。
【００１１】
［翼部８］
翼部８は、側壁部５上端から外側に向けて延設している、すなわち開口部６外縁に、外側に張り出して形成しているので、血液を濾過する作業の際や、血液濾過フィルタ１自体を移動させるときなどにも、この翼部８を持つことで安定して濾過作業をしたり移動させたりすることができる。翼部８は、一つでもよいが、例えば図１〜図３のように、二つの翼を対称的に形成した方が、載置して作業を行う時や適当な大きさのプラスチック製容器に等に引掛けて使用するときなどにも、より安定感があり、作業を行い易く、使い勝手がよい。
【図面の簡単な説明】
【００１２】
【図１】本考案の血液濾過フィルタ１の概略図
【図２】本考案の血液濾過フィルタ１の平面図
【図３】本考案の血液濾過フィルタ１の側面図
【図４】本考案の図２の血液濾過フィルタ１のＡ−Ａ´断面図
【図５】図３のＢ部（血液濾過部材）の一部拡大図
【符号の説明】
【００１３】
１、１ａ  血液濾過フィルタ
２  本体
４  底面部
５  側面部
６  開口部
７  血液濾過部材
８    翼部
８ａ  鍔部
９  底面内周縁部
１０  スケール
Ｗ  血液濾過部材７の網目の幅
【図１】
0003130711.tif 000003
【図２】
0003130711.tif 000004
【図３】
0003130711.tif 000005
【図４】
0003130711.tif 000006
【図５】
0003130711.tif 000007